(57)【要約】【課題】  １つの表示領域に複数の表示領域を備え、それぞれの領域において所望の表示を達成することができる液晶表示装置を提供する。【解決手段】  液晶表示部が複数の領域に区分けされ、それら領域において他の領域とは液晶モードの異なる構成を有する。【選択図】    図１
2005202140.tif 000002
【特許請求の範囲】
【請求項１】
液晶表示部が複数の領域に区分けされ、それら領域において他の領域とは液晶モードの異なる構成を有することを特徴とする液晶表示装置。
【請求項２】
液晶を介して対向配置される各基板を有し、該液晶の広がり方向に複数の画素からなる液晶表示部が構成される液晶表示装置であって、
前記各基板側の少なくとも液晶表示領域にはそれぞれ偏光板が形成されているとともに、
前記液晶表示部は複数の領域に区分けされ、それら領域において他の領域とは液晶モードが異なる構成を有することを特徴とする液晶表示装置。
【請求項３】
各領域の液晶モードが異なる構成のうち、一方の構成は他の構成より広視野角特性を有し、他の構成は前記一方の構成よりも高開口率特性を有することを特徴とする請求項１、２のいずれかに記載の液晶表示装置。
【請求項４】
一方の構成はＶＡ方式あるいはＩＰＳ方式からなり、他方の構成はＴＮ方式あるいはＶＡ方式からなることを特徴とする請求項３に記載の液晶表示装置。
【請求項５】
液晶モードの異なる各領域の各画素はいずれもノーマリブラックモードで駆動されることを特徴とする請求項１、２のいずれかに記載の液晶表示装置。
【請求項６】
液晶表示部を構成する各画素に画素電極と対向電極とが備えられ、液晶モードの異なる各構成のそれぞれの対向電極に印加する電圧は異なった値に設定されることを特徴とする請求項１、２のいずれかに記載の液晶表示装置。
【請求項７】
液晶モードの異なる各構成のそれぞれの対向電極に印加する電圧の差は予め定められ、液晶モードの異なる各構成のうちいずれかの対向電極に印加する電圧を調整する調整手段が備えられていることを特徴とする請求項６に記載の液晶表示装置。
【請求項８】
液晶モードの異なる構成を有する各領域の境界部における各基板の間に、該各領域を画する部材が形成され、この部材はシール材とその両脇に配置される壁体部とからなることを特徴とする請求項２に記載の液晶表示装置。
【請求項９】
各基板のうち少なくとも一方の基板側に前記各領域を画する部材を被う遮光層が形成されていることを特徴とする請求項８に記載の液晶表示装置。
【請求項１０】
前記遮光層は黒色の樹脂材から構成されていることを特徴とする請求項９に記載の液晶表示装置。
【請求項１１】
前記遮光層はクロスニコル配置の偏光子から構成されていることを特徴とする請求項９記載の液晶表示装置。
【請求項１２】
液晶を介して対向配置される各基板を有し、該液晶の広がり方向に複数の画素からなる液晶表示部が構成される液晶表示装置であって、
前記液晶表示部は複数の領域に区分けされ、それら領域において他の領域とは液晶モードが異なる構成を有し、
液晶モードが異なる一方の領域の前記各基板側のそれぞれに偏光板が形成され、他方の領域の前記各基板側のいずれかに偏光板が形成されていることを特徴とする液晶表示装置。
【請求項１３】
各領域の液晶モードが異なる構成のうち、一方の構成は他の構成より広視野角特性を有し、他の構成は前記一方の構成よりも高開口率特性を有することを特徴とする請求項１２に記載の液晶表示装置。
【請求項１４】
一方の構成はＴＮ方式、ＶＡ方式、ＩＰＳ方式のうちいずれかの方式からなり、他方の構成はＧＨ方式からなることを特徴とする請求項１２に記載の液晶表示装置。
【請求項１５】
液晶表示部を構成する各画素に画素電極と対向電極とが備えられ、液晶モードの異なる各構成のそれぞれの対向電極に印加する電圧は異なった値に設定されることを特徴とする請求項１２に記載の液晶表示装置。
【請求項１６】
液晶モードの異なる各構成のそれぞれの対向電極に印加する電圧の差は予め定められ、液晶モードの異なる各構成のうちいずれかの対向電極に印加する電圧を調整する調整手段が備えられていることを特徴とする請求項１４に記載の液晶表示装置。
【請求項１７】
液晶モードの異なる構成を有する各領域の境界部における各基板の間に、該各領域を画する部材が形成され、この部材はシール材とその両脇に配置される壁体部とからなることを特徴とする請求項１２に記載の液晶表示装置。
【請求項１８】
各基板のうち少なくとも一方の基板側に前記各領域を画する部材を被う遮光層が形成されていることを特徴とする請求項１７に記載の液晶表示装置。
【請求項１９】
前記遮光層は黒色の樹脂材から構成されていることを特徴とする請求項１７に記載の液晶表示装置。
【請求項２０】
前記遮光層はクロスニコル配置の偏光子から構成されていることを特徴とする請求項１７に記載の液晶表示装置。
【請求項２１】
液晶を介して対向配置される各基板を有し、該液晶の広がり方向に複数の画素からなる液晶表示部が構成される液晶表示装置であって、
前記液晶表示部は複数の領域に区分けされ、それら領域において他の領域とは液晶モードが異なる構成を有し、
液晶モードが異なる各領域うち少なくとも一方の領域の前記各基板側のそれぞれに偏光板が形成されていない構成となっていることを特徴とする液晶表示装置。
【請求項２２】
各領域の液晶モードが異なる構成のうち、一方の構成は他の構成より広視野角特性を有し、他の構成は前記一方の構成よりも高開口率特性を有することを特徴とする請求項２１に記載の液晶表示装置。
【請求項２３】
一方の構成はＴＮ方式、ＶＡ方式、ＩＰＳ方式のうちいずれかの方式からなり、他方の構成はＰＣ方式、ＰＣ方式とＧＨ方式のうちいずれかの方式からなることを特徴とする請求項２１に記載の液晶表示装置。
【請求項２４】
液晶表示部を構成する各画素に画素電極と対向電極とが備えられ、液晶モードの異なる各構成のそれぞれの対向電極に印加する電圧は異なった値に設定されることを特徴とする請求項２１に記載の液晶表示装置。
【請求項２５】
液晶モードの異なる各構成のそれぞれの対向電極に印加する電圧の差は予め定められ、液晶モードの異なる各構成のうちいずれかの対向電極に印加する電圧を調整する調整手段が備えられていることを特徴とする請求項２４に記載の液晶表示装置。
【請求項２６】
液晶モードの異なる構成を有する各領域の境界部における各基板の間に、該各領域を画する部材が形成され、この部材はシール材とその両脇に配置される壁体部とからなることを特徴とする請求項２１に記載の液晶表示装置。
【請求項２７】
各基板のうち少なくとも一方の基板側に前記各領域を画する部材を被う遮光層が形成されていることを特徴とする請求項２６に記載の液晶表示装置。
【請求項２８】
前記遮光層は黒色の樹脂材から構成されていることを特徴とする請求項２７に記載の液晶表示装置。
【請求項２９】
前記遮光層はクロスニコル配置の偏光子から構成されていることを特徴とする請求項２７に記載の液晶表示装置。
【発明の詳細な説明】
【技術分野】
【０００１】
本発明は液晶表示装置に関する。
【背景技術】
【０００２】
従来の液晶表示装置は１つの表示画面に１つの表示モードを備え、単一画像を表示することに主眼が置かれていた。その典型例がパソコン用モニタや液晶テレビなどである。
【０００３】
しかし、アプリケーションの裾野が広がるにつれ、１つの表示画面上に多くの機能を盛り込む試みがなされてきた。たとえばスロットマシンなどに用いられる窓付きの液晶表示装置には偏光板がある通常の表示領域と、偏光板がない無表示領域（窓）とに分けられている。
【発明の開示】
【発明が解決しようとする課題】
【０００４】
しかし、上述したような構成の場合、液晶表示装置としての機能を削減しただけに過ぎなく、この窓部に新たな機能を盛り込むことができれば、該液晶表示装置の応用範囲が飛躍的に向上することが考えられる。本願発明はこのような要望のもとになされたものである。
【０００５】
本発明は、１つの表示領域に複数の表示領域を備え、それぞれの領域において所望の表示を達成することができる液晶表示装置を提供することにある。
【課題を解決するための手段】
【０００６】
本願において開示される発明のうち、代表的なものの概要を簡単に説明すれば、以下のとおりである。
（１）
本発明による液晶表示装置は、たとえば、液晶表示部が複数の領域に区分けされ、それら領域において他の領域とは液晶モードの異なる構成を有することを特徴とする。
（２）
本発明は、たとえば、液晶を介して対向配置される各基板を有し、該液晶の広がり方向に複数の画素からなる液晶表示部が構成される液晶表示装置であって、
前記各基板側の少なくとも液晶表示領域にはそれぞれ偏光板が形成されているとともに、
前記液晶表示部は複数の領域に区分けされ、それら領域において他の領域とは液晶モードが異なる構成を有することを特徴とする。
（３）
本発明による液晶表示装置は、たとえば、（１）、（２）のいずれかの構成を前提とし、各領域の液晶モードが異なる構成のうち、一方の構成は他の構成より広視野角特性を有し、他の構成は前記一方の構成よりも高開口率特性を有することを特徴とする。
（４）
本発明による液晶表示装置は、たとえば、（３）の構成を前提とし、一方の構成はＶＡ方式あるいはＩＰＳ方式からなり、他方の構成はＴＮ方式あるいはＶＡ方式からなることを特徴とする。
（５）
本発明による液晶表示装置は、たとえば、（１）、（２）のいずれかの構成を前提とし、液晶モードの異なる各領域の各画素はいずれもノーマリブラックモードで駆動されることを特徴とする。
（６）
本発明による液晶表示装置は、たとえば、（１）、（２）のいずれかの構成を前提とし、液晶表示部を構成する各画素に画素電極と対向電極とが備えられ、液晶モードの異なる各構成のそれぞれの対向電極に印加する電圧は異なった値に設定されることを特徴とする。
（７）
本発明による液晶表示装置は、たとえば、（６）の構成を前提とし、液晶モードの異なる各構成のそれぞれの対向電極に印加する電圧の差は予め定められ、液晶モードの異なる各構成のうちいずれかの対向電極に印加する電圧を調整する調整手段が備えられていることを特徴とする。
（８）
本発明による液晶表示装置は、たとえば、（２）の構成を前提とし、液晶モードの異なる構成を有する各領域の境界部における各基板の間に、該各領域を画する部材が形成され、この部材はシール材とその両脇に配置される壁体部とからなることを特徴とする。
（９）
本発明による液晶表示装置は、たとえば、（８）の構成を前提とし、各基板のうち少なくとも一方の基板側に前記各領域を画する部材を被う遮光層が形成されていることを特徴とする。
（１０）
本発明による液晶表示装置は、たとえば、（９）の構成を前提とし、前記遮光層は黒色の樹脂材から構成されていることを特徴とする。
（１１）
本発明による液晶表示装置は、たとえば、（９）の構成を前提とし、前記遮光層はクロスニコル配置の偏光子から構成されていることを特徴とする。
（１２）
本発明は、たとえば、液晶を介して対向配置される各基板を有し、該液晶の広がり方向に複数の画素からなる液晶表示部が構成される液晶表示装置であって、
前記液晶表示部は複数の領域に区分けされ、それら領域において他の領域とは液晶モードが異なる構成を有し、
液晶モードが異なる一方の領域の前記各基板側のそれぞれに偏光板が形成され、他方の領域の前記各基板側のいずれかに偏光板が形成されていることを特徴とする。
（１３）
本発明による液晶表示装置は、たとえば、（１２）の構成を前提とし、各領域の液晶モードが異なる構成のうち、一方の構成は他の構成より広視野角特性を有し、他の構成は前記一方の構成よりも高開口率特性を有することを特徴とする。
（１４）
本発明による液晶表示装置は、たとえば、（１２）の構成を前提とし、一方の構成はＴＮ方式、ＶＡ方式、ＩＰＳ方式のうちいずれかの方式からなり、他方の構成はＧＨ方式からなることを特徴とする。
（１５）
本発明による液晶表示装置は、たとえば、（１２）の構成を前提とし、液晶表示部を構成する各画素に画素電極と対向電極とが備えられ、液晶モードの異なる各構成のそれぞれの対向電極に印加する電圧は異なった値に設定されることを特徴とする。
（１６）
本発明による液晶表示装置は、たとえば、（１４）の構成を前提とし、液晶モードの異なる各構成のそれぞれの対向電極に印加する電圧の差は予め定められ、液晶モードの異なる各構成のうちいずれかの対向電極に印加する電圧を調整する調整手段が備えられていることを特徴とする。
（１７）
本発明による液晶表示装置は、たとえば、（１２）の構成を前提とし、液晶モードの異なる構成を有する各領域の境界部における各基板の間に、該各領域を画する部材が形成され、この部材はシール材とその両脇に配置される壁体部とからなることを特徴とする。
（１８）
本発明による液晶表示装置は、たとえば、（１７）の構成を前提とし、各基板のうち少なくとも一方の基板側に前記各領域を画する部材を被う遮光層が形成されていることを特徴とする。
（１９）
本発明による液晶表示装置は、たとえば、（１７）の構成を前提とし、前記遮光層は黒色の樹脂材から構成されていることを特徴とする。
（２０）
本発明による液晶表示装置は、たとえば、（１７）の構成を前提とし、前記遮光層はクロスニコル配置の偏光子から構成されていることを特徴とする。
（２１）
本発明による液晶表示装置は、たとえば、液晶を介して対向配置される各基板を有し、該液晶の広がり方向に複数の画素からなる液晶表示部が構成される液晶表示装置であって、
前記液晶表示部は複数の領域に区分けされ、それら領域において他の領域とは液晶モードが異なる構成を有し、
液晶モードが異なる各領域うち少なくとも一方の領域の前記各基板側のそれぞれに偏光板が形成されていない構成となっていることを特徴とする。
（２２）
本発明による液晶表示装置は、たとえば、（２１）の構成を前提とし、各領域の液晶モードが異なる構成のうち、一方の構成は他の構成より広視野角特性を有し、他の構成は前記一方の構成よりも高開口率特性を有することを特徴とする。
（２３）
本発明による液晶表示装置は、たとえば、（２１）の構成を前提とし、一方の構成はＴＮ方式、ＶＡ方式、ＩＰＳ方式のうちいずれかの方式からなり、他方の構成はＰＣ方式、ＰＣ方式とＧＨ方式のうちいずれかの方式からなることを特徴とする。
（２４）
本発明による液晶表示装置は、たとえば、（２１）の構成を前提とし、液晶表示部を構成する各画素に画素電極と対向電極とが備えられ、液晶モードの異なる各構成のそれぞれの対向電極に印加する電圧は異なった値に設定されることを特徴とする。
（２５）
本発明による液晶表示装置は、たとえば、（２４）の構成を前提とし、液晶モードの異なる各構成のそれぞれの対向電極に印加する電圧の差は予め定められ、液晶モードの異なる各構成のうちいずれかの対向電極に印加する電圧を調整する調整手段が備えられていることを特徴とする。
（２６）
本発明による液晶表示装置は、たとえば、（２１）の構成を前提とし、液晶モードの異なる構成を有する各領域の境界部における各基板の間に、該各領域を画する部材が形成され、この部材はシール材とその両脇に配置される壁体部とからなることを特徴とする。
（２７）
本発明による液晶表示装置は、たとえば、（２６）の構成を前提とし、各基板のうち少なくとも一方の基板側に前記各領域を画する部材を被う遮光層が形成されていることを特徴とする。
（２８）
本発明による液晶表示装置は、たとえば、（２７）の構成を前提とし、前記遮光層は黒色の樹脂材から構成されていることを特徴とする。
（２９）
本発明による液晶表示装置は、たとえば、（２７）の構成を前提とし、前記遮光層はクロスニコル配置の偏光子から構成されていることを特徴とする。
【０００７】
なお、本発明は以上の構成に限定されず、本発明の技術思想を逸脱しない範囲で種々の変更が可能である。
【発明を実施するための最良の形態】
【０００８】
以下、本発明による液晶表示装置の実施例を図面を用いて説明をする。
【実施例１】
【０００９】
図１（ａ）は、液晶表示装置の表示部の平面図、図１（ｂ）はその断面図を示している。
【００１０】
この液晶表示装置は、図１（ｂ）に示すように、液晶ＬＣを介して一対の基板ＳＵＢ１、ＳＵＢ２が配置されて構成され、該液晶ＬＣ中の各画素には一方の基板ＳＵＢ１側から他方の基板ＳＵＢ２側にかけて電界が印加されるようになっている。
【００１１】
表示部ＡＲはマトリクス状に配置された多数の画素の集合で構成され、図１（ａ）に示すように、第１の領域Ａおよび第２の領域Ｂに区分されている。図１（ａ）の場合、たとえば第１の領域Ａは表示部ＡＲの周辺部に、第２の領域Ｂは表示部ＡＲの中央部に位置づけられている。
【００１２】
ここで、第１の領域Ａではいわゆる広視野角領域（第２の領域Ｂと比較）として構成され、たとえばＶＡ（Vertical  Alignment）方式が用いられている。一方、第２の領域Ｂではいわゆる高開口率領域（第１の領域Ａと比較）として構成され、たとえばＶＡ方式、あるいはＴＮ（Twisted  Nematic）方式が用いられている。
【００１３】
図２は、図１（ｂ）の断面図をさらに詳細に示したもので、第１の領域Ａと第２の領域Ｂとの境界部の構成をも示している。
【００１４】
基板ＳＵＢ１の液晶側の面には各画素ごとに透明電極からなる画素電極ＰＸが形成され、第１の領域Ａの各画素電極ＰＸを被って配向膜ＡＬが、第２の領域Ｂの各画素電極ＰＸを被って配向膜ＡＬが形成されている。
【００１５】
また、基板ＳＵＢ２の液晶側の面には第１の領域Ａの各画素を共通として、および第２の領域Ｂの各画素を共通として、それぞれ透明電極からなる対向電極ＣＴが形成され、これら各対向電極ＣＴを被って配向膜ＡＬが形成されている。
【００１６】
第１の領域Ａと第２の領域Ｂとの境界にはシール材ＳＬが形成され、このシール材ＳＬによって第１の領域Ａと第２の領域Ｂとを画するようになっている。このシール材ＳＬは表示部ＡＲの周囲において液晶を封入するようにして形成されるシール材ＳＬと同様の機能を有するようになっている。
【００１７】
また、これら各シール材ＳＬの液晶側の側壁に近接する部分において壁体部（土手部）ＷＱが形成されている。この壁体部ＷＱはいわゆる液晶滴下方式により封入する際に液晶の封入を信頼性よく行なうための隔壁材となるものである。ここで、液晶滴下方式は、液晶表示パネルが大型の場合に好適な液晶封入方式で、一方の基板面に液晶を滴下した後に他方の基板を重ねていわゆるセルを構成する。
【００１８】
なお、基板ＳＵＢ１の液晶側と反対の面には第１の領域Ａおよび第２の領域Ｂをも被って偏光板ＰＯＬが形成され、また、基板ＳＵＢ２の液晶側と反対の面には第１の領域Ａおよび第２の領域Ｂをも被って偏光板ＰＯＬが形成されている。
【００１９】
これは、上述したように、第１の領域ＡとしてたとえばＶＡ方式を用い、第２の領域ＢしてたとえばＶＡ方式、あるいはＴＮ方式を用いているからである。
【００２０】
図３はマトリクス状に配置された各画素のうち一つの画素の構成を示した図で、基板ＳＵＢ１の液晶側の面に形成された平面図である。
【００２１】
図３において、図中ｘ方向に延在されｙ方向に並設されるゲート信号線ＧＬとｙ方向に延在されｘ方向に並設されるドレイン信号線ＤＬとで囲まれる領域を画素領域とし、前記ゲート信号線ＧＬのうち一方のゲート信号線ＧＬからの信号（走査信号）によってオンする薄膜トランジスタＴＦＴと、この薄膜トランジスタＴＦＴを通して、前記ドレイン信号線ＤＬのうち一方のドレイン信号線ＤＬからの信号（映像信号）が供給される画素電極ＰＸとが備えられている。画素電極ＰＸはたとえばITO (Indium Tin Oxide)、ITZO(Indium Tin Zinc Oxide)、IZO (Indium Zinc Oxide)、SnO2（酸化スズ）、In2O3（酸化インジウム）等の透光性の導電層から構成され、当該画素領域の大部分を占めるようにして形成されている。
【００２２】
なお、前記各信号ＧＬ、ＤＬ、薄膜トランジスタＴＦＴ、画素電極ＰＸは絶縁膜を介して配置され、画素電極ＰＸの一部は、前記薄膜トランジスタＴＦＴを駆動させるゲート信号線ＧＬと前記画素電極ＰＸを間にして配置される他のゲート信号線ＧＬの一部と重畳するようにして形成され、前記絶縁膜を誘電体膜とする容量素子Ｃａｄｄが形成されている。
【００２３】
この容量素子Ｃａｄｄは、前記画素電極ＰＸに映像信号が供給された場合にその映像信号を蓄積させる機能を有する。
【００２４】
図４（ａ）ないし（ｄ）は、上述した構成からなる画素を有する液晶表示パネルにおいて、画素電極ＰＸと、この画素電極を被って形成されかつ液晶と直接に接触する配向膜、対向電極ＣＴと、この対向電極ＣＴを被って形成されかつ液晶と直接に接触する配向膜の構成を、ＴＮ方式、ＶＡ（１）方式、ＶＡ（２）方式、ＶＡ（３）方式においてそれぞれ示した図である。
【００２５】
図４（ａ）のＴＮ方式にあっては、画素電極ＰＸはその形成領域において何ら細工されることなく（スリット等を形成することなくの意味）形成され、その上面に配向膜ＡＬが形成され、対向電極ＣＴもその形成領域において何ら細工されることなく形成され、その上面に配向膜ＡＬが形成されている。
【００２６】
図４（ｂ）のＶＡ（１）方式にあっては、画素電極ＰＸはその形成領域において何ら細工されることなく形成され、その上面に配向膜ＡＬが形成され、対向電極ＣＴはそれを形成する面に突起ＰＰ（断面方向と交差する方向に延在されている）が形成されている結果、該対向電極ＣＴの表面にそれが顕在化されて形成されている。また、対向電極の上面には配向膜ＡＬが形成されている。
【００２７】
前記突起ＰＰの両側においてそれぞれ液晶に印加される電界の方向が異なるようになり、いわゆるマルチドメインの効果を奏するようになっている。
【００２８】
図４（ｃ）のＶＡ（２）方式にあっては、画素電極ＰＸはその形成領域においてスリットが形成され、その上面に配向膜ＡＬが形成され、対向電極ＣＴはその形成領域において何ら細工されることなく形成され、その上面に配向膜ＡＬが形成されている。
【００２９】
前記スリットの両側においてそれぞれ液晶に印加される電界の方向が異なるようになり、いわゆるマルチドメインの効果を奏するようになっている。
【００３０】
図４（ｄ）のＶＡ（３）方式にあっては、画素電極ＰＸはその形成領域においてスリットが形成され、その上面に配向膜ＡＬが形成され、対向電極ＣＴはそれを形成する面に突起ＰＰが形成されている結果、該対向電極ＣＴの表面にそれが顕在化されて形成されている。また、対向電極の上面には配向膜が形成されている。前述したＶＡ（１）方式とＶＡ（２）方式を組み合わせた構成となっているものである。
【００３１】
なお、ＴＮ方式は配向処理（ラビング，光配向など）が必要だが，ＶＡ方式は配向処理は不要としてもよい。
【００３２】
このように、一つの液晶表示領域ＡＲに複数の表示領域を設け，該複数の表示領域の液晶モードを異なったものとすることで，一つの表示装置に複数の表示機能（高輝度，広視野角，高速応答，高色純度，高コントラストなど）を搭載することができる。その結果，アミューズメント用途から産業用，家庭用など液晶ディスプレイの応用範囲を飛躍的に広げることができる。
【００３３】
また、該複数の表示領域はいずれも２枚の偏光板を必要とする液晶表示モードとすることで、黒から白まで階調表現に優れた高コントラストの画像を表示することができる。また、上述の説明では示されていないが、カラーフィルタを用いることでフルカラーの画像を表示することができる。
【００３４】
さらに、広視野角領域（第１の領域Ａ）中に，液晶モードの異なる高開口率領域（第２の領域Ｂ）を設けることで，高視野角領域の表示は階調反転などのない画質を、高開口率領域の表示は明るい画質を得ることができる。
【００３５】
なお、上述した構成を含めて、第１の領域Ａ（広視野角領域）として、ＶＡ方式（１），ＶＡ方式（２），ＶＡ方式（３）などを選択して構成でき、第２の領域Ｂ（高開口率領域）として、ＴＮ方式，ＶＡ方式（１），ＶＡ方式（２），ＶＡ方式（３）などを選択して構成することにより、装置の汎用性を向上させることができる。
【００３６】
図５（ａ）は、前記第１の領域Ａの対向電極ＣＴ（Ａ）と第２の領域Ｂの対向電極ＣＴ（Ｂ）とが、それぞれ独立に信号を供給できるように構成されていることを示す図で、図５（ａ）の上側の図において対向電極ＣＴ（Ａ）と対向電極ＣＴ（Ｂ）とを別々に示し、下側の図において、それらが同一平面（基板ＳＵＢ２の液晶側の面）に形成されていることを示している。
【００３７】
第１の領域Ａと第２の領域Ｂでは液晶モードの違いによって、液晶容量が異なって構成される。このため、各領域においてそれぞれ最適となる各対向電極ＣＴ（Ａ）、ＣＴ（Ｂ）の電圧が存在することになる。したがって、各対向電極ＣＴ（Ａ）、ＣＴ（Ｂ）の電圧をそれぞれ同じにした場合、残像やフリッカが発生してしまうのを、上述したように各対向電極ＣＴ、ＣＴに印加する電圧を独立させ、各領域に合わせた信号を供給するようにしたものである。
【００３８】
図５（ｂ）は、液晶の分極を回避するために交流化された映像信号Ｖｄ１に対する第１の領域Ａの対向電極ＣＴ（Ａ）に供給される信号と第２の領域Ｂの対向電極ＣＴ（Ｂ）に供給される信号との関係を示した図で、その左側の図は第１の領域Ａの対向電極ＣＴ（Ａ）に供給される信号が第２の領域Ｂの対向電極ＣＴ（Ｂ）に供給される信号よりも大きくなっていることを示し、右側の図は第２の領域Ｂの対向電極ＣＴ（Ｂ）に供給される信号が第１の領域Ａの対向電極ＣＴ（Ａ）に供給される信号よりも大きくなっていることを示している。
【００３９】
なお、これら各対向電極ＣＴ（Ａ）、（Ｂ）に供給される信号の電圧値は、それぞれ調整できるように構成してもよいことはもちろんである。
【００４０】
図６（ａ）は、このような調整のための構成を示した図で、いずれにおいても１つの調整手段によって同時に各対向電極ＣＴに供給する信号を変更できるようになっている。
【００４１】
すなわち、電源ＰＷＲからの電源を調整手段ＡＭに供給し、該調整手段ＡＭによって調整された電圧の信号の一方をたとえば第１の領域Ａの対向電極ＣＴ（Ａ）に供給し、他方を差電圧生成手段ＤＭを介して第２の領域Ｂの対向電極ＣＴ（Ｂ）に供給するようになっている。
【００４２】
図６（ｂ）は、図６（ａ）に示した回路の具体的な構成を示したもので、前記調整手段ＡＭとしてボリウムＶＲを用い、前記差電圧生成手段ＤＭとして分圧抵抗Ｒ１、Ｒ２を用いている。電源ＰＷＲの電圧がボリウムＶＲによって調整され、該ボリウムＶＲでの出力電圧が第１の領域Ａ側の対向電極ＣＴ（Ａ）に供給され、第２の領域Ｂ側の対向電極ＣＴ（Ｂ）には前記抵抗Ｒ１とＲ２により定まる電圧が供給される。この場合、第２の領域Ｂ側の電圧を第１の領域Ａ側の電圧より上げるには、たとえばアンプなどを設ければよい。
【００４３】
前記第１の領域Ａと第２の領域Ｂのそれぞれの液晶モードと設計が定まれば、それぞれの各領域毎の対向電極ＣＴ（Ａ）、ＣＴ（Ｂ）への最適な電圧値の差を予め算出することができる。この場合、前記調整手段ＡＭによる電位調整は、薄膜トランジスタＴＦＴの加工精度などによるばらつき、すなわち各領域毎に共通な変動を吸収するためのものとなる。したがって、１つの調整手段で、この共通な変動を吸収することにより、個別の調整を省略でき、部品点数の削減と調整の容易化を実現できることになる。
【実施例２】
【００４４】
図７（ａ）は、液晶表示装置の表示部の平面図、図７（ｂ）はその断面図を示している。
【００４５】
この液晶表示装置は、図７（ｂ）に示すように、液晶ＬＣを介して一対の基板ＳＵＢ１、ＳＵＢ２が配置されて構成され、該液晶ＬＣ中の各画素には一方の基板ＳＵＢ１側から他方の基板ＳＵＢ２側にかけて電界が印加されるものと（便宜上縦電界方式と称することがある）、基板ＳＵＢ１、ＳＵＢ２と平行な電界成分を含んで電界が印加されるもの（便宜上横電界方式と称することがある）とを有している。
【００４６】
表示部ＡＲはマトリクス状に配置された多数の画素の集合で構成され、図７（ａ）に示すように、第１の領域Ａおよび第２の領域Ｂに区分されている。図７（ａ）の場合、たとえば第１の領域Ａは表示部ＡＲの周辺部に、第２の領域Ｂは表示部ＡＲの中央部に位置づけられている。
【００４７】
ここで、第１の領域Ａではいわゆる広視野角領域（第２の領域Ｂと比較）として構成され、たとえばＩＰＳ（In  Plane  Switching）方式が用いられている。一方、第２の領域Ｂではいわゆる高開口率領域（第１の領域Ａと比較）として構成され、たとえばＴＮ方式、あるいはＶＡ方式が用いられている。
【００４８】
図８は、図ｂ（ｂ）の断面図をさらに詳細に示したもので、第１の領域Ａと第２の領域Ｂとの境界部の構成をも示している。
【００４９】
基板ＳＵＢ１の液晶側の面の第１の領域Ａには、その画素ごとに画素電極ＰＸと対向電極ＣＴが形成され、それら画素電極ＰＸおよび対向電極ＣＴを被って配向膜ＡＬが形成されている。また、これと対向して基板ＳＵＢ２の液晶側の面には電極が形成されることなく配向膜ＡＬが形成されている。
【００５０】
基板ＳＵＢ１の液晶側の面の第２の領域Ｂには、各画素ごとに透明電極からなる画素電極ＰＸが形成され、各画素電極ＰＸを被って配向膜ＡＬが形成されている。また、基板ＳＵＢ２の液晶側の面には各画素を共通として透明電極からなる対向電極ＣＴが形成され、これら各対向電極ＣＴを被って配向膜ＡＬが形成されている。
【００５１】
第１の領域Ａと第２の領域Ｂとの境界にはシール材ＳＬが形成され、このシール材ＳＬによって第１の領域Ａと第２の領域Ｂとを画するようになっている。このシール材ＳＬは表示部ＡＲの周囲において液晶を封入するようにして形成されるシール材ＳＬと同様の機能を有するようになっている。
【００５２】
また、これら各シール材ＳＬの液晶側の側壁に近接する部分において壁体部（土手部）ＷＱが形成されている。この壁体部ＷＱはいわゆる液晶滴下方式により封入する際に液晶の封入を信頼性よく行なうための隔壁材となるものである。ここで、液晶滴下方式は、液晶表示パネルが大型の場合に好適な液晶封入方式で、一方の基板面に液晶を滴下した後に他方の基板を重ねていわゆるセルを構成する。
【００５３】
なお、基板ＳＵＢ１の液晶側と反対の面には第１の領域Ａおよび第２の領域Ｂをも被って偏光板ＰＯＬが形成され、また、基板ＳＵＢ２の液晶側と反対の面には第１の領域Ａおよび第２の領域Ｂをも被って偏光板ＰＯＬが形成されている。
【００５４】
図９（ａ）は、基板ＳＵＢ１の液晶側の面であって、たとえば第１の領域Ａに形成される各画素の構成を示す平面図で、図９（ｂ）は、第２の領域Ｂに形成される各画素の構成を示す平面図である。
【００５５】
このうち、図９（ｂ）に示す画素の構成は、図３で示した構成と同様であることから、図９（ａ）の構成についてのみ説明する。
【００５６】
図９（ａ）において、図中ｘ方向に延在されｙ方向に並設されるゲート信号線ＧＬとｙ方向に延在されｘ方向に並設されるドレイン信号線ＤＬとで囲まれる領域を画素領域とし、前記ゲート信号線ＧＬのうち一方のゲート信号線ＧＬからの信号（走査信号）によってオンする薄膜トランジスタＴＦＴと、この薄膜トランジスタＴＦＴを通して、前記ドレイン信号線ＤＬのうち一方のドレイン信号線ＤＬからの信号（映像信号）が供給される画素電極ＰＸと、この画素電極ＰＸとの間に電界を発生させる対向電極ＣＴとが形成されている。
【００５７】
これら電極は、いずれもｙ方向に延在する帯状の電極からなり、たとえば一個の画素電極ＰＸとこの画素電極ＰＸを間にして配置される２個の対向電極ＣＴから構成されている。なお、画素電極ＰＸと対向電極ＣＴの数は限定されることはないが、それらが交互に配置されていることが必要である。
【００５８】
なお、各対向電極ＣＴは、当該画素内を横切り図中ｘ方向に延在する対向電圧信号線ＣＬに接続され、この対向電圧信号線ＣＬを介して信号が供給される。
【００５９】
このような構成からなる画素は、図７において示したように、いわゆる横電界方式によって液晶を駆動させていることから、図９（ｂ）に示す画素よりも広視野角特性が得られるという特性を有する。
【００６０】
図１０（ａ）および（ｂ）は、図９（ａ）に示す構成からなる画素において、基板ＳＵＢ１側の画素電極ＰＸ、対向電極ＣＴと、これら電極を被って形成されかつ液晶ＬＣと直接に接触する配向膜ＡＬ、基板ＳＵＢ２側に形成されかつ液晶ＬＣと直接に接触する配向膜ＡＬの構成を、それぞれ示したものである。
【００６１】
図１０（ａ）は画素電極ＰＸと対向電極ＣＴとがたとえば同層に形成されていることを示し、図１０（ｂ）は、図９（ａ）の構成の改変例を示し、画素領域の大部分を占めて平板状の対向電極ＣＴの上方に絶縁膜ＩＮＳを介して電極群からなる画素電極ＰＸが形成されているものを示している。図１０（ｂ）の場合も図１０（ａ）の場合と同様に液晶が駆動される。
【００６２】
なお、図１０（ａ）、（ｂ）の構成において、いわゆるマルチドメイン化するために各電極をくの字状に屈曲させてもよい。また、配向処理（ラビング，光配向など）が必要である。
【００６３】
図１０（ｃ）ないし（ｆ）は、図９（ｂ）に示す画素において、それぞれ、画素電極ＰＸと、この画素電極ＰＸを被って形成されかつ液晶ＬＣと直接に接触する配向膜ＡＬ、対向電極ＣＴと、この対向電極ＣＴを被って形成されかつ液晶ＬＣと直接に接触する配向膜ＡＬの構成を、ＴＮ方式、ＶＡ（１）方式、ＶＡ（２）方式、ＶＡ（３）方式においてそれぞれ示した図であり、図４（ａ）ないし（ｄ）に示した構成と同様となっている。
【００６４】
図１１（ａ）は、前記第１の領域Ａの基板ＳＵＢ１側の面に対向電極ＣＴが形成されていることを示したものである。実際、該図１１（ａ）ではメッシュ状に形成されている対向電圧信号線ＣＬのみを示し、この対向電圧信号線ＣＬと接続される該対向電極ＣＴは表現されていない。そして、この対向電極ＣＴには独立に制御された電圧値Ｖｃｏｍ１からなる信号が供給されるようになっている。この場合、第２の領域Ｂに相当する領域には該対向電圧信号線ＣＬおよびそれに接続される対向電極ＣＴは形成されていない。
【００６５】
図１１（ｂ）は、前記第２の領域Ｂの基板ＳＵＢ２側の面に対向電極ＣＴが形成されていることを示したものである。そして、この対向電極ＣＴには独立に制御された電圧値Ｖｃｏｍ２からなる信号が供給されるようになっている。
【００６６】
第１の領域Ａと第２の領域Ｂでは液晶モードの違いにより、液晶容量が異なって構成される。このため，各領域に最適となる対向電極ＣＴの電圧を異ならしめている。また、横電界方式（ＩＰＳ（In Plane Switching）方式）と縦電界方式（ＴＮ方式あるいはＶＡ方式）との組み合わせでは、上述したように、対向電極ＣＴの配置場所が基板ＳＵＢ１、基板ＳＵＢ２とに分かれ、それぞれの基板に対向電極ＣＴを設ける必要がある。
【００６７】
図１２（ａ）は、第１の領域Ａと第２の領域Ｂにおいて、各画素の電圧−輝度特性を示したものであり、各領域のいずれにおいても電圧無印加時において輝度が０（黒表示）となるように、すなわちノーマリブラックモードとするように構成したことを示している。
【００６８】
第１の領域Ａと第２の領域Ｂでは液晶モードの違いにより電圧に対する透過率の変化が異なり、電圧無印加時にノーマリブラックモードとしないと、良好な黒表示を行うことができなくなるからである。
【００６９】
仮に、図１２（ｂ）に示したような電圧−輝度特性とした場合、第１領域Ａと第２領域Ｂを同時に黒にすることができなくなる。そして、仮に設計上そのようにしても，製品毎のばらつきにより、実際にはずれた製品が多数作成されてしまい、歩留まりが大幅に低下してしまうことになる。
【００７０】
図１３（ａ）は、上述のように表示部において第１の領域Ａと第２の領域Ｂを設けた場合に、その境界部に光漏れを生じるのを回避する構成を示したもので、該境界部にたとえばブラックマトリクスＢＭなる遮光膜を形成していることを示している。この遮光膜としては、他に、黒色シール材、クロスニコル配置の偏光板等であってもよい。
【００７１】
図１３（ｂ）は、前述した図２の構成において、基板ＳＵＢ２の液晶側の面にブラックマトリクスＢＭを形成した場合の構成を示したものである。該ブラックマトリクスＢＭは、第１の領域Ａと第２の領域Ｂとの境界部（シール材ＳＬが形成されている個所）において、該シール材ＳＬよりも充分な幅を有し該シール材ＳＬを被うようにして形成されている。また、このブラックマトリクスＢＭは第１の領域Ａおよび第２の領域Ｂにおいても各画素領域とそれに隣接する他の画素領域との間に形成されている。
【００７２】
なお、このブラックマトリクスＢＭは、その上面に平坦化膜ＯＣが形成され、この平坦化膜ＯＣの上面に対向電極ＣＴが形成されている。
【００７３】
図１３（ｃ）は、前述した図８の構成において、基板ＳＵＢ２の液晶側の面にブラックマトリクスＢＭを形成した場合の構成を示したものである。図１３（ｂ）の場合と同様となっている。
【００７４】
これにより、高コントラストの画像を第１の領域Ａおよび第２の領域Ｂにおいても得られることができる。
【実施例３】
【００７５】
図１４（ａ）は、上述のように表示部において第１の領域Ａと第２の領域Ｂを設けた場合に、たとえば第２の領域Ｂは偏光板を１枚のみ必要とするモードとなっていることを示した図である。
【００７６】
図１４（ｂ）は、前述した図２の構成において、基板ＳＵＢ１の液晶ＬＣとは反対側の面の全域には偏光板ＰＯＬを備えるが、基板ＳＵＢ２の液晶ＬＣとは反対の側の面には第１の領域Ａにのみ偏光板ＰＯＬを備え、第２の領域Ｂには該偏光板が備えられていないものとなっている。
【００７７】
同様に、図１４（ｃ）は、前述した図８の構成において、基板ＳＵＢ１の液晶ＬＣとは反対側の面の全域には偏光板ＰＯＬを備えるが、基板ＳＵＢ２の液晶ＬＣとは反対の側の面には第１の領域Ａにのみ偏光板を備え、第２の領域Ｂには該偏光板が備えられていないものとなっている。
【００７８】
これにより、第２の領域Ｂにおいて、偏光板１枚分の光吸収分を無くすことができ、偏光板２枚の場合に比べ高透過率を得ることができる。このため、第２の表示モードでは第１の表示モードに比べ、明るい表示を得ることができる。
【００７９】
偏光板を１枚しか備えられていない領域は、いわゆるゲスト−ホスト方式を採用しているもので、該領域に充填される液晶ＬＣは図１５（ａ）あるいは図１５（ｂ）に示すようになっている。ここで、図１５（ａ）はＮｐ型液晶＋平行配向を用いた場合の模式図を示し、図１５（ｂ）はＮｎ型液晶＋垂直配向を用いた場合の模式図を示している。ここで、Ｎｐ型とは誘電率異方性が正のネマティック液晶をいい、Ｎｎ型とは誘電率異方性が負のネマティック液晶をいう。
【００８０】
なお、各図において、基板ＳＵＢ１、ＳＵＢ２、偏光板ＰＯＬ、画素電極ＰＸ、対向電極ＣＴ、配向膜ＡＬを有するが、それらは上述した構成のそれと対応するものである。
【００８１】
図１５（ａ）において、その左側の図は電圧ＯＦＦ時を示し、偏光板の吸収軸と二色性色素の吸収軸が直交している場合、二色性色素として可視光領域に吸収を持つものを用いることによって入射光は透過しなくなる。二色性色素としてある特定の波長領域に吸収を持つものを用いれば入射光は着色して透過するようになる。
【００８２】
図１５（ａ）において、その右側の図は電圧ＯＮ時を示し、二色性色素が電界方向に配列するため入射光は吸収されず、そのまま透過するようになる。この場合、カラーフィルタを用いればフルカラー表示可能となる。
【００８３】
図１５（ｂ）において、その左側の図は電圧ＯＦＦ時を示し、二色性色素が基板に対して垂直に配列（ホメオトロピック配向）するため入射光は吸収されず、そのまま透過するようになる。この場合、カラーフィルタを用いればフルカラー表示可能となる。
【００８４】
図１５（ｂ）において、その右側の図は電圧ＯＮ時を示し、偏光板の吸収軸と二色性色素の吸収軸が直交している場合、二色性色素として可視光領域に吸収を持つものを用いることによって入射光は透過しなくなる。二色性色素としてある特定の波長領域に吸収を持つものを用いれば入射光は着色して透過するようになる。
【００８５】
図１６（ａ）は、上述のように、表示部において第１の領域Ａと第２の領域Ｂを設けた場合に、たとえば第２の領域Ｂは偏光板ＰＯＬをまったく必要としないモードとなっていることを示した図である。
【００８６】
図１６（ｂ）は、前述した図２の構成において、第１の領域Ａには基板ＳＵＢ１の液晶ＬＣとは反対側の面の全域におよび基板ＳＵＢ２の液晶ＬＣとは反対側の面の全域にそれぞれ偏光板ＰＯＬを備えるが、第２の領域Ｂにはそれらの偏光板が備えられていないものとなっている。
【００８７】
同様に、図１４（ｃ）は、前述した図８の構成において、第１の領域Ａには基板ＳＵＢ１の液晶ＬＣとは反対側の面の全域におよび基板ＳＵＢ２の液晶ＬＣとは反対側の面の全域にそれぞれ偏光板ＰＯＬを備えるが、第２の領域Ｂにはそれらの偏光板が備えられていないものとなっている。
【００８８】
これにより、第２の領域は、偏光板を１枚分ないし２枚分の光吸収を無くすことができ、偏光板が１枚ないし２枚の場合に比べ高透過率を得ることができる。このため、第２の表示モードでは第１の表示モードに比べ、明るい表示を得ることができる。
【００８９】
偏光板ＰＯＬが設けられていない領域は、いわゆる相移転方式（ＰＣ方式）を採用しているもので、該領域に充填される液晶ＬＣは図１７（ａ）あるいは図１７（ｂ）に示すようになっている。ここで、図１７（ａ）はＣｈｐ型液晶、すなわち誘電率異方性が正のコレステリック液晶を用いた場合を示し、図１７（ｂ）はＣｈｎ型液晶、すなわち誘電率異方性が負のコレステリック液晶を用いた場合を示している。
【００９０】
図１７（ａ）において、その左側の図は電圧ＯＦＦ時を示し、液晶ＬＣはフォーカルコニック配向をしており、入射光は散乱される。二色性色素としてある特定の波長領域に吸収を持つものを用いれば出射光は着色する。
【００９１】
図中右側の図は電圧ＯＮ時を示し、二色性色素が電界方向に配列するため入射光は吸収されることなくそのまま透過する。なお，カラーフィルタを用いればフルカラー表示可能となる。
【００９２】
図１７（ｂ）において、その左側の図は電圧ＯＦＦ時を示し、二色性色素が基板に対して垂直に配列（ホメオトロピック配向）し入射光は吸収されず、そのまま透過する。なお，カラーフィルタを用いればフルカラー表示可能となる。
【００９３】
図中左側の図は電圧ＯＮ時を示し、液晶ＬＣはフォーカルコニック配向となり、入射光は散乱される。二色性色素としてある特定の波長領域に吸収を持つものを用いれば出射光は着色する。
図１８（ａ）は、前述したいずれかの領域を広視野角領域とした第１の表示モードにおける表示モード、偏光板、配向処理、液晶、二色性色素、および光学効果を纏めて示した表である。
【００９４】
表示モードがＴＮ方式の場合、偏光板は２枚用い、配向処理としてはラビングあるいは光配向で処理し、液晶としてはＮｐ型を用いる。この場合二色性色素は用いる必要はない。電気光学効果としては印加する電圧Ｖが０の際に透過モードとなり該電圧Ｖが閾値電圧以上の際に非透過モードとなる。
【００９５】
表示モードがＶＡ方式の場合、偏光板は２枚用い、配向処理は不要、液晶としてはＮｎ型を用いる。この場合も二色性色素は用いる必要はない。電気光学効果としては印加する電圧Ｖが０の際に非透過モードとなり該電圧Ｖが閾値電圧以上の際に透過モードとなる。
【００９６】
表示モードがＩＰＳ方式の場合、偏光板は２枚用い、配向処理としてはラビングあるいは光配向で処理し、液晶としてはＮｐ型あるいはＮｎ型のいずれも可である。この場合も二色性色素は用いる必要はない。電気光学効果としては印加する電圧Ｖが０の際に非透過モードとなり該電圧Ｖが閾値電圧以上の際に透過モードとなる。
【００９７】
図１８（ｂ）は、他方の領域を高開口率領域とした第２の表示モードにおける表示モード、偏光板、配向処理、液晶、二色性色素、および光学効果を纏めて示した表である。
【００９８】
表示モードがＴＮ方式の場合、偏光板は２枚用い、配向処理としてはラビングあるいは光配向で処理し、液晶としてはＮｐ型を用いる。この場合二色性色素は用いる必要はない。電気光学効果としては印加する電圧Ｖが０の際に透過モードとなり該電圧Ｖが閾値電圧以上の際に非透過モードとなる。
【００９９】
表示モードがＶＡ方式の場合、偏光板は２枚用い、配向処理は不要、液晶としてはＮｎ型を用いる。この場合も二色性色素は用いる必要はない。電気光学効果としては印加する電圧Ｖが０の際に非透過モードとなり該電圧Ｖが閾値電圧以上の際に透過モードとなる。
【０１００】
表示モードがＧＨ(Gest Host)方式の場合、偏光板は１枚用い、液晶としてＮｐ型を用いた場合配向処理としてはラビングあるいは光配向で処理し、液晶としてＮｎ型を用いた場合不要となる。二色性色素は液晶がＮｐ型の場合ｐ型あるいはｎ型を用いることができ、ｐ型を用いた場合電気光学効果として印加する電圧Ｖが０の際に有色となり該電圧Ｖが閾値電圧以上の際に無色となり、ｎ型を用いた場合電気光学効果として印加する電圧Ｖが０の際に無色となり該電圧Ｖが閾値電圧以上の際に有色となり、
表示モードがＰＣ（Phase Change）方式の場合、偏光板および配向処理は不要となり、液晶としてＣｈｐ型あるいはＣｈｎ型を用いることができる。二色性色素はｐ型を用いることができ、Ｃｈｐ型の液晶を用いた場合の電気光学効果として印加する電圧Ｖが０の際に有色となり該電圧Ｖが閾値電圧以上の際に無色となり、Ｃｈｎ型の液晶を用いた場合の電気光学効果として印加する電圧Ｖが０の際に無色となり該電圧Ｖが閾値電圧以上の際に有色となる。
【実施例４】
【０１０１】
図１９（ａ）ないし（ｉ）は、上述した液晶表示パネルの製造方法の一実施例を示す工程図である。各図の左側には断面図を、右側には平面図を示している。
【０１０２】
なお、基板ＳＵＢ１および基板ＳＵＢ２の液晶側の面には信号線ＧＬ、ＤＬ、薄膜トランジスタＴＦＴ、電極ＰＸ、ＣＴが既に形成されているものとして以下説明をする。
【０１０３】
図１９（ａ）
基板ＳＵＢ２の液晶側の面（既に薄膜トランジスタＴＦＴを被う保護膜が形成されている）に壁体部ＷＱを形成する。この場合、第１の領域と第２の領域との境界部となる壁体部ＷＱも同時に形成する。
【０１０４】
図１９（ｂ）
第１の領域であって前記壁体部ＷＱに囲まれた部分にたとえばインクジェット方法で配向膜ＡＬ（Ａ）を形成する。なお、このインクジェット方法での配向膜ＡＬの形成は、図２１に示すように、配向膜ＡＬの材料をインクジェットヘッドを通して滴下させ、該インクジェットヘッドを移動させることにより、所定の領域に該配向膜ＡＬの膜厚を均一に形成することができる。
【０１０５】
図１９（ｃ）
第２の領域であって前記壁体部ＷＱに囲まれた部分にたとえばインクジェット方法で配向膜ＡＬ（Ｂ）を形成する
図１９（ｄ）
たとえば第２の領域をマスクによって遮光し、第１の領域を露光することにより、該第１の領域の配向膜ＡＬ（Ａ）を光配向処理する。
【０１０６】
図１９（ｅ）
第１の領域をマスクによって遮光し、第２の領域を露光することにより、該第２の領域の配向膜ＡＬ（Ｂ）を光配向処理する。
【０１０７】
図１９（ｆ）
たとえば第１の領域に液晶ＬＣ（Ａ）を滴下する。
【０１０８】
図１９（ｇ）
第２の領域に液晶ＬＣ（Ｂ）を滴下する。
【０１０９】
図１９（ｈ）
基板ＳＵＢ１を用意する。この基板ＳＵＢ１の液晶側の面には、既に第１の領域に形成された配向膜ＡＬと第２の領域に形成された配向膜ＡＬとが、上述したようにそれぞれ別個に光配向処理されたものである。
【０１１０】
この基板ＳＵＢ１を基板ＳＵＢ２に重ね合わせ、シール材ＳＬを介して該基板ＳＵＢ２に固定する。
【０１１１】
図１９（ｉ）
液晶表示パネルが完成する。
【０１１２】
なお、いずれか一方の領域を配向処理の省略可能な配向膜ＡＬとすることで、配向処理を１回にでき、プロセス数低減とコスト低減が実現する。この場合、配向処理の省略可能な例としては、垂直配向方式、すなわちＶＡ方式、ＭＶＡ方式、ＰＶＡ方式などの各種のＶＡ関連モードがある。
【０１１３】
したがって、高透過率領域をこれら垂直配向方式、広視野角領域を各種ＩＰＳ方式とすることにより、配向処理を削減できる。むろん、各種ＶＡモードの中で、視野角の差により領域毎のモードを使い分けることで、配向処理自体の省略も可能である。
【０１１４】
また、シール材ＳＬにより上下基板の固定を行う場合、相互の液晶の混入防止及び、シール材ＳＬから液晶ＬＣへの汚染防止のため、表示モードの異なる領域の間に複数の壁体部ＷＱを設け、その間にシール材ＳＬを形成することが極めて有効である。
【０１１５】
この場合、シール材ＳＬの形成は、配向処理の後、液晶滴下の前が好ましい。シール材ＳＬ形成から基板ＳＵＢを重ね合わせるまでの時間が長すぎるとシール材ＳＬの自然硬化が進展し、また液晶滴下から基板ＳＵＢを重ね合わせるまでの時間は液晶ＬＣの汚染防止の観点からできるだけ短くすることが好ましいからである。
【０１１６】
図２０（ａ）ないし（ｆ）は、このようなことを考慮した液晶表示パネルの製造方法の他の実施例を示す工程図である。各図の左側には断面図を、右側には平面図を示している。
【０１１７】
図２０（ａ）
基板ＳＵＢ２を用意し、この基板ＳＵＢ２の液晶側の面には既に、信号線ＧＬ、ＤＬ、薄膜トランジスタＴＦＴ、電極ＰＸ、ＣＴが既に形成されている。
【０１１８】
第１の表示領域とその外方の領域との境界部に対し第１の表示領域側に壁体部ＷＱを、第１の表示領域と第２の表示領域との境界部に対し第１の表示領域側および第２の表示領域側に壁体部ＷＱを形成する。
【０１１９】
第１の表示領域の面および第２の表示領域の面にそれぞれその領域の目的に合わせた配向膜ＡＬを形成する。
図２０（ｂ）
第１の表示領域とその外方の領域との境界部および第１の表示領域と第２の表示領域との境界部にシール材ＳＬを形成する。
【０１２０】
図２０（ｃ）
たとえば第１の領域に液晶ＬＣを滴下する。
【０１２１】
図２０（ｄ）
第２の領域に液晶ＬＣを滴下する。
【０１２２】
図２０（ｅ）
基板ＳＵＢ１を用意する。この基板ＳＵＢ１の液晶側の面には、既に第１の領域に形成された配向膜ＡＬと第２の領域に形成された配向膜ＡＬとが、上述したようにそれぞれ別個に光配向処理されたものである。
【０１２３】
この基板ＳＵＢ１を基板ＳＵＢ２に重ね合わせ、シール材ＳＬを介して該基板ＳＵＢ２に固定する。
【０１２４】
図２０（ｆ）
液晶表示パネルが完成する。
【０１２５】
上述した各実施例はそれぞれ単独に、あるいは組み合わせて用いても良い。それぞれの実施例での効果を単独であるいは相乗して奏することができるからである。
【図面の簡単な説明】
【０１２６】
【図１】本発明による液晶表示装置の一実施例を示す概略図である。
【図２】図１の（ｂ）における詳細構成図である。
【図３】本発明による液晶表示装置の画素の一実施例を示す平面図である。
【図４】図３に示した画素の各実施例を示す断面図である。
【図５】図３に示した画素の対向電極の構成とそれに印加する電圧を示した説明図である。
【図６】図３に示した画素の対向電極に印加する電圧を調整する調整回路の一実施例を示す図である。
【図７】本発明による液晶表示装置の他の実施例を示す概略図である。
【図８】図７の（ｂ）における詳細構成図である。
【図９】図７に示した液晶表示装置に備えられる画素の一実施例を示した平面図である。
【図１０】図９に示した画素の各実施例を示す断面図である。
【図１１】図７に示した液晶表示装置の対向電極の構成を示す図である。
【図１２】図７に示した液晶表示装置の各画素がノーマリブラックモードで駆動されることを示した説明図である。
【図１３】本発明による液晶表示装置の他の実施例を示す概略図である。
【図１４】本発明による液晶表示装置の他の実施例を示す概略図である。
【図１５】図１４に示した液晶表示装置に用いられる液晶の動作を示した説明図である。
【図１６】本発明による液晶表示装置の他の実施例を示す概略図である。
【図１７】図１６に示した液晶表示装置に用いられる液晶の動作を示した説明図である。
【図１８】広視野角特性の領域に形成される表示モードに必要となる部材の説明を示した表、および高開口率特性の領域に形成される表示モードに必要となる部材の説明を示した表である。
【図１９】本発明による液晶表示装置の製造方法の一実施例を示す工程図である。
【図２０】本発明による液晶表示装置の製造方法の他の実施例を示す工程図である。
【図２１】インクジェット方式を示す説明図および液晶滴下によって液晶セルを形成する工程を示した説明図である。
【符号の説明】
【０１２７】
ＡＲ……表示部、Ａ……第１の領域、Ｂ……第２の領域、ＰＯＬ……偏光板、ＡＬ……配向膜、ＰＸ……画素電極、ＣＴ……対向電極、ＬＣ……液晶、ＳＬ……シール材、ＷＱ……壁体部、ＧＬ……ゲート信号線、ＤＬ……ドレイン信号線、ＴＦＴ……薄膜トランジスタ、ＰＷＲ……電源、ＡＭ……調整手段、ＤＭ……差電圧生成手段、ＢＭ……ブラックマトリクス
【図１】
2005202140.tif 000003
【図２】
2005202140.tif 000004
【図３】
2005202140.tif 000005
【図４】
2005202140.tif 000006
【図５】
2005202140.tif 000007
【図６】
2005202140.tif 000008
【図７】
2005202140.tif 000009
【図８】
2005202140.tif 000010
【図９】
2005202140.tif 000011
【図１０】
2005202140.tif 000012
【図１１】
2005202140.tif 000013
【図１２】
2005202140.tif 000014
【図１３】
2005202140.tif 000015
【図１４】
2005202140.tif 000016
【図１５】
2005202140.tif 000017
【図１６】
2005202140.tif 000018
【図１７】
2005202140.tif 000019
【図１８】
2005202140.tif 000020
【図１９】
2005202140.tif 000021
【図２０】
2005202140.tif 000022
【図２１】
2005202140.tif 000023